(57)【要約】      （修正有）【課題】低コストで性能の良いスレーブシリンダーを提供する。【解決手段】液圧シリンダー１０、液圧クラッチ駆動システムのためのスレーブシリンダーが、ピストン１４とピストンロッド１６とを有するピストンサブアセンブリ１２と、シリンダーハウジング１８とを具備し、ピストンで一方の側で可変に画定され、ベース２２で他方の側で不変に画定された圧力チャンバ２０がその中に設けられ、ばね要素３６が、ベースから離れる方向にサブアセンブリを付勢するように、ばね板３８に支持され、ピストンロッドと他端で動作的に接続され、固定部分４０が、液圧シリンダーの第１の駆動前にハウジングに対して所定のストローク設定でサブアセンブリを固定し、第１の駆動時にハウジングに対してサブアセンブリを解放する。固定部分はばね板のところに構成され、ハウジングに対するサブアセンブリの解放可能な固定のためにピストンロッドにおいて噛合部分４２と協働する。【選択図】図１
2017036832.tif 000002
【特許請求の範囲】
【請求項１】
液圧シリンダー（１０）、特に自動車用の液圧駆動システムのためのスレーブシリンダーであって、
ピストン（１４）と、ピストンロッド（１６）とを有するピストンサブアセンブリ（１２）と、
シリンダーハウジング（１８）とを具備し、前記ピストン（１４）によって一方の側で可変に画定され、前記シリンダーハウジング（１８）のベース（２２）によって他方の側で不変に画定された圧力チャンバ（１０）が前記シリンダーハウジング中に設けられ、
前記圧力チャンバ（２０）から離れた前記ピストン（１４）の側に配置されたばね要素（３６）を具備し、前記ばね要素は、前記シリンダーハウジング（１８）の前記ベース（２２）から離れる方向に前記ピストンサブアセンブリ（１２）を付勢するように、前記ハウジング側においてばね板（３８）に一端で支持され、前記ピストンロッド（１６）と他端で動作的に接続され、
前記液圧シリンダー（１０）の第１の駆動に先立って前記シリンダーハウジング（１８）に対して所定のストローク設定で前記ピストンサブアセンブリ（１２）を固定し、前記液圧シリンダー（１０）の第１の駆動が起こったときに前記シリンダーハウジング（１８）に対して前記ピストンサブアセンブリ（１２）を解放するように構成された固定部分（４０）を具備し、
前記固定部分（４０）は、前記ばね板（３８）に形成され、前記シリンダーハウジング（１８）に対する前記ピストンサブアセンブリ（１２）の解放可能な固定のために前記ピストンロッド（１６）において噛合部分（４２）と協働することを特徴とする液圧シリンダー（１０）。
【請求項２】
前記ばね板（３８）は、内側環状部分（８４）と、外側環状部分（８６）と、ベース部分（８８）と、環状凹部（９０）とを備えた環状部材によって形成され、
前記ピストンロッド（１６）が前記内側環状部分（８４）を通って延び、
前記外側環状部分（８６）によって前記ばね板（３８）が前記シリンダーハウジング（１８）に取り付けられ、
前記ベース部分（８８）は、前記内側環状部分（８４）及び前記外側環状部分（８６）を接続しており、
前記環状凹部（９０）は、前記ばね要素（３６）のピストン近接端部（９２）を収容するために前記部分（８４、８６、８８）間に画定されていることを特徴とする請求項１に記載の液圧シリンダー（１０）。
【請求項３】
前記内側環状部分（８４）は、内周においてその自由端に環状ビード（１３４）を有し、前記環状ビードは、前記ばね板（３８）の前記固定部分（４０）を形成しており、わずかに径方向にばね戻り可能であり、一方、前記ピストンロッド（１６）は、横断面図に見られるようなほぼ冠状の環状カラー（１３６）が外周に設けられたピストンロッドヘッド（７６）を有し、前記ピストンロッドヘッドは、前記ピストンロッド（１６）において前記噛合部分（４２）を形成し、前記ピストンサブアセンブリ（１２）の固定状態において、前記環状ビード（１３４）に軸方向で支持されていることを特徴とする請求項２に記載の液圧シリンダー（１０）。
【請求項４】
前記内側環状部分（８４）には、両側にカットアウト（１３２）が設けられ、前記カットアウトは、前記シリンダーハウジング（１８）の中心軸（４６）に対して完全に向かい合っており、前記カットアウトは、前記ピストンサブアセンブリ（１２）の解放状態において前記シリンダーハウジング（１８）の前記中心軸（４６）に対する前記ピストンロッド（１６）の所定の偏位を可能にすることを特徴とする請求項２又は３に記載の液圧シリンダー（１０）。
【請求項５】
前記外側環状部分（８６）には、その自由端から始まっている複数の軸方向スロット（１０４）が設けられ、前記軸方向スロットは、周上に分配され前記ベース部分（８８）の方向に延び、前記外側環状部分（８６）を複数のセグメント（１０６、１０８）に分割し、前記シリンダーハウジング（１８）に前記ばね板（３８）を固定する機能をすることを特徴とする請求項２ないし４のいずれか１に記載の液圧シリンダー（１０）。
【請求項６】
少なくとも１つのセグメント（１０６）が、スナップ接続で軸方向に前記シリンダーハウジング（１８）に前記ばね板（３８）を取り付けるために、その自由端に、前記シリンダーハウジング（１８）の内周に形成された径方向溝（１１２）と係合する径方向外向きの突起状の突出部（１１０）が設けられたばねアームを形成していることを特徴とする請求項５に記載の液圧シリンダー（１０）。
【請求項７】
少なくとも１つの他のセグメント（１０８）が、前記シリンダーハウジング（１８）の回転から前記ばね板（３８）を守るために、その自由端に、前記シリンダーハウジング（１８）の内周で相補的なカットアウト（１１６）と係合する径方向外向きかつ軸方向に突出している部分的に円筒形の端部分（１１４）を有することを特徴とする請求項５又は６に記載の液圧シリンダー（１０）。
【請求項８】
前記ベース部分（８８）は、前記環状凹部（９０）から離れたその側に、円形で環状の平坦な端面（１１８）を有し、これによって、前記ばね板（３８）は、前記シリンダーハウジング（１８）の内周に形成された、関連付けられた環状ショルダー（１２０）に前記シリンダーハウジング（１８）の軸方向で支持されていることを特徴とする請求項２ないし７のいずれか１に記載の液圧シリンダー（１０）。
【請求項９】
前記ばね板（３８）は、前記環状凹部（９０）から離れた前記ベース部分（８８）の側に環状の中心決め突出部（１２２）を有することを特徴とする請求項２ないし８のいずれか１に記載の液圧シリンダー（１０）。
【請求項１０】
前記中心決め突出部（１２２）は、前記シリンダーハウジング（１８）の内周の相補的な形態の噛合面（１２６）に向かい合う円錐形に面取りされた外周面（１２４）を有することを特徴とする請求項９に記載の液圧シリンダー（１０）。
【請求項１１】
前記中心決め突出部（１２２）は、円錐形に面取りされた内周面（１２８）を有し、前記ピストンサブアセンブリ（１２）が解放されたとき、前記ピストンロッド（１６）を前記シリンダーハウジング（１８）の前記中心軸（４６）とほぼ整列させるように、前記ピストン（１４）の外周の相補的な形態の噛合面（１３０）が、前記内周面に接触されることができることを特徴とする請求項９又は１０に記載の液圧シリンダー（１０）。
【請求項１２】
前記ばね要素（３６）は、スロット付きのリテーニングリング（９６）によって前記ピストンロッドヘッド（７６）のところでそのピストン遠隔端部（９４）で係合し、前記リテーニングリング（９６）は、前記ピストンロッドヘッド（７６）の関連付けられた支持面（９８）にスナップ係合し、一端に、径方向外向きに突出している環状カラー（１００）を有し、前記ばね要素（３６）の前記ピストン遠隔端部（９４）が、前記ピストン（１４）に面している前記環状カラーの側を支持し、前記環状カラー（１００）は、前記ピストン（１４）から離れたその側で前記ピストンロッドヘッド（７６）に形成された環状ショルダー（１０２）に軸方向で支持されていることを特徴とする少なくとも請求項３に記載の液圧シリンダー（１０）。
【請求項１３】
前記ピストン（１４）は、前記ピストンロッド（１６）と緊密に接続され、好ましくは、前記ピストンロッド（１６）にプラスチック材料から射出成形され、
前記ピストン（１４）は、前記シリンダーハウジング（１８）中の前記ピストンサブアセンブリ（１２）の傾斜を可能にする外部輪郭形状（２４）を有することを特徴とする請求項１ないし１２のいずれか１に記載の液圧シリンダー（１０）。
【請求項１４】
前記ピストン（１４）は、前記圧力チャンバ側にある延長部（２６）を有し、シール要素（３０）がリテーニングリング（２８）によって前記延長部に保持され中心決めされ、前記シール要素は、前記シリンダーハウジング（１８）の内周の滑り面（３４）を囲みシールリップ（３２）によって摺動可能かつ封止可能に支持し、
前記リテーニングリング（２８）には、前記シール要素（３０）から離れたその側に、前記シリンダーハウジング（１８）の前記中心軸（４６）に対する前記ピストンサブアセンブリ（１２）の傾斜角が所定の角度に達したときに前記シリンダーハウジング（１８）で前記ピストンサブアセンブリ（１２）を支持するように、前記シリンダーハウジング（１８）中の前記ピストンサブアセンブリ（１２）の傾斜が起こったときに前記シリンダーハウジング（１８）の前記滑り面（３４）と接触するようにその長さと径との少なくとも一方に関して適合された補剛延長部分（４４）が設けられていることを特徴とする請求項１３に記載の液圧シリンダー（１０）。
【請求項１５】
前記リテーニングリング（２８）は、スナップ接続部（１４８）によって前記ピストン（１４）の前記延長部（２６）に取り付けられていることを特徴とする請求項１４に記載の液圧シリンダー（１０）。
【発明の詳細な説明】
【技術分野】
【０００１】
本発明は、請求項１の前提部分に係る液圧シリンダーに関する。特に、本発明は、自動車産業において大規模に使用されるような、自動車用の液圧クラッチ駆動システムのためのスレーブシリンダーに関する。
【背景技術】
【０００２】
自動車用の従来の液圧クラッチ駆動システムは、作動液で満たされた均圧リザーバと接続されたマスターシリンダーを有する。マスターシリンダーは、ハウジング穴を備えたシリンダーハウジングを有し、ピストンがシリンダーハウジング中に長手方向に移動可能に収容されている。マスターシリンダーピストンは、シリンダーハウジングのハウジング穴において圧力チャンバを画定し、クラッチペダル又は電気モータードライブによる駆動力で機械的に負荷を加えられることができる。マスターシリンダーの圧力チャンバは、圧力管路によってスレーブシリンダーの圧力チャンバと液圧接続されており、これにより、マスターシリンダーピストンのクラッチペダル又は電気モーターの変位を低下させることによりマスターシリンダーの圧力チャンバに生成された圧力が、圧力管路中の流体柱によってスレーブシリンダーの圧力チャンバに伝達可能である。スレーブシリンダーは、同様に、ハウジング穴を備えたシリンダーハウジングを有し、シリンダーハウジング中でスレーブシリンダーの圧力チャンバを画定し、かくして、マスターシリンダーに生成された圧力が負荷されるピストンが、長手方向に移動可能であるように収容されている。スレーブシリンダーピストンは、クラッチレバーと係合するピストンロッドと連結されており、さらに、クラッチのレリーズベアリングと動作的に接続している。その結果、クラッチのレリーズベアリングは、レリーズメカニズムによってクラッチドライブディスクからクラッチプレッシャープレートを、したがって自動車のトランスミッションからモーターを分離するために、スレーブシリンダーピストンを介して駆動力を負荷されることができる。
【０００３】
スレーブシリンダーは、通常、クラッチレバーのところの関連付けられた座部と接触しているその装着状態においてスレーブシリンダーの、ピストンロッド側にある端部を維持しレリーズベアリングにプレロードをかけるために、シリンダーハウジングのベースから離れる方向にスレーブシリンダーピストンを付勢する目的を果たすばね要素を有する。既に知られた解決策では、このばね要素は、主に、圧縮コイルばねとして構成されている。その場合には、ばね要素は、第１の形態において、例えば欧州特許文献第１５１２８８２号公報（図１）でのように圧力チャンバ中に配置され、シリンダーハウジングのベースに一端で、及びばね板によってピストンに他端で支持されている。逆に、第２の形態では、圧力チャンバから離れたピストンの側のばね要素は、例えば欧州特許文献第１６６６７５２号公報の請求項１の前提部分を規定している（図１）ように、ピストンロッドを囲んでおり、また、ピストンから離れたその端部で、ピストンロッドの環状カラーを支持し、一方、ばね板によってピストンの近くでその端部でシリンダーハウジングに支持されている。
【０００４】
後者の形態は、シール滑り面の領域においてシリンダーハウジング壁と接触して損傷しうるばね要素のリスクがないので、その限りは効果的である。さらに、スレーブシリンダーのこの形態において、自己エア抜きは、第１の充填の場合のみならず、スレーブシリンダーの動作時においても良い。なぜならば、気泡が付着しうるばね要素が圧力チャンバ中にないからである。最後に、この形態において、ばね要素はまた、シリンダーハウジングに対して直線状のピストンロッドを設定するために有効に機能し、スレーブシリンダーの組立てを容易にする。
【０００５】
特に、マスターシリンダー、均圧リザーバ、圧力管路及びスレーブシリンダーからプレアセンブリされたユニットとして自動車製造業者の組立てラインに供給される液圧クラッチ駆動システムとの接続において、さらに、上の従来技術では、液圧クラッチ駆動システムの過剰充填を回避するために、その輸送のために、及び、自動車におけるユニットの装着を容易にするために、スレーブシリンダーのシリンダーハウジングに対してスレーブシリンダーのピストンロッドを一時的に拘束する手段が提案されている。
【０００６】
そのようなカテゴリーを規定している欧州特許文献第１６６６７５２号公報によるスレーブシリンダーは、ピストンとピストンロッドとを有するピストンサブアセンブリを、スレーブシリンダーの第１の駆動に先立ってばね要素の力に抗してシリンダーハウジングに対して所定のストローク設定で固定する固定部分を有し、このスレーブシリンダーは、スレーブシリンダーの第１の駆動が起こったときにシリンダーハウジングに対してピストンサブアセンブリを解放するように構成されている。この従来技術では、固定部分は、ハウジングベースのところで圧力チャンバに設けられ、シリンダーハウジングに対するピストンサブアセンブリの解放可能な固定のためにピストンにおいて噛合要素と協働する。より正確には、挿入部材に形成された固定部分が、スレーブシリンダーの、ハウジングベースのところに設けられた、圧力接続部に挿入され、一方、圧力チャンバ側にあるピストン延長部は、ピストンのところに噛合要素を形成し、この噛合要素は、挿入部材の固定部分と機械的に確実に噛み合うことができる。
【０００７】
シリンダーハウジングのハウジングベースのところの圧力チャンバにおける固定部分のこの配置は、ピストンから離れたピストンロッドの端部が滑りソケット、保護ダストキャップなど装着に関して問題とならないようになっており、固定部分がシリンダーハウジングの中心軸に対するピストンロッドの角度のある動きを妨害せず、望まれない摩擦ノイズを引き起こさない程度では確かに有効である。しかしながら、固定部分を収容するために従来技術の圧力チャンバにさらなる設置スペースが必要とされ、このスペースは、所定のストロークのためにスレーブシリンダーを長くし、特定の制限された設置状況にとって不適当になりうる。
【先行技術文献】
【特許文献】
【０００８】
【特許文献１】欧州特許文献第１５１２８８２号公報
【特許文献２】欧州特許文献第１６６６７５２号公報
【発明の概要】
【０００９】
本発明は、上に述べられた従来技術と比較してできるだけ単純な構成の液圧シリンダーを、特に自動車用の液圧駆動システムのためのスレーブシリンダーを提供することを目的とし、ピストンサブアセンブリは、液圧シリンダーの第１の駆動に先立ってシリンダーハウジングに対して所定のストローク設定で固定されることができ、また、さらなる設置スペースを必要とするピストンサブアセンブリの一時的な固定のための手段なしで、液圧シリンダーの第１の駆動が起こったときに解放されることができる。
【００１０】
この目的は、請求項１に規定される特徴部分によって達成される。本発明の効果的な、又は便宜的な発展形態が、請求項２ないし１５の主題である。
【００１１】
本発明によれば、液圧シリンダー、特に自動車用の液圧クラッチ駆動システムのためのスレーブシリンダーが、ピストンとピストンロッドとを有するピストンサブアセンブリと、シリンダーハウジングとを具備し、ピストンによって一方の側で可変に画定され、シリンダーハウジングのベースによって他方の側で不変に画定された圧力チャンバがシリンダーハウジング中に設けられ、圧力チャンバから離れたピストンの側に配置されたばね要素を具備し、ばね要素は、シリンダーハウジングのベースから離れる方向にピストンサブアセンブリを付勢するように、ハウジング側においてばね板に一端で支持され、ピストンロッドと他端で動作的に接続され、液圧シリンダーの第１の駆動に先立ってシリンダーハウジングに対して所定のストローク設定でピストンサブアセンブリを固定し、液圧シリンダーの第１の駆動が起こったときにシリンダーハウジングに対してピストンサブアセンブリを解放するように構成された固定部分を具備し、固定部分は、ばね板に形成され、シリンダーハウジングに対するピストンサブアセンブリの解放可能な固定のためにピストンロッドにおいて噛合部分と協働する。
【００１２】
したがって、本発明の基本概念によれば、固定部分を形成するためにさらなる設置スペースを必要とする追加の構成要素がない。代わって、いかなる場合も存在する構成要素、すなわち、ばね板が、その目的のために有効に使用され、シリンダーハウジングに対するピストンサブアセンブリの解放可能な固定が、構成要素にさらなる機能として一体的にされ、部品のほとんどない単純で経済的な設計を導く。ばね板に一体的にされた固定部分がピストンロッドのところで関連付けられた噛合部分と協働し、これは、シリンダー構成の通常の形態において圧力チャンバから離れたばね要素に対して径方向内向きに必ずあり、ばね要素に対していかなる場合にも与えられる設置スペースは、シリンダーハウジングに対してピストンサブアセンブリを一時的に拘束するために有効に使用されることができる。言い換えれば、ばね要素によって径方向外向きに、及びピストンロッドによって径方向内向きに画定された環状スペースが、非常にコンパクトで短い液圧シリンダーの形態で、ばね板のところで固定部分を、及びピストンロッドにおいて噛合部分を収容するために使用可能である。
【００１３】
本発明に従うばね板の固定部分の構成のさらなる効果は、例えば、上述の欧州特許文献第１５１２８８２号公報に開示されるような、圧力チャンバから離れたピストンサブアセンブリのピストンロッド側のシリンダーハウジングに対するピストンサブアセンブリの一時的な固定に関する他の既に知られた解決策と比較して、固定部分が液圧シリンダーの第１の駆動の時又はその後に液圧シリンダーの軸方向に「移動」することができず、液圧シリンダーの径方向に見られるような一定位置でばね板のところにとどまるということである。したがって、原理上、例えば、修理目的のために、あるいは、例えば液圧シリンダーの輸送中における一時的な拘束のための意図しない「解放」の後にさえも、シリンダーハウジングに対して、静止しているばね板の固定部分にピストンロッドにおいて噛合部分を、したがってピストンサブアセンブリを再拘束したり拘束したりすることが可能である。
【００１４】
最後に、このような多機能のばね板もまた、プラスチック材料から射出成形によって大量生産で非常に経済的に生産されることができる。
【００１５】
原理上、シリンダーハウジングに対してばね要素を保持したり中心決めしたりするために、例えば、ばね要素のピストン近接端部に端面でばね要素と係合する環状突出部をばね板に設けることが可能である。しかしながら、簡易な構成の形態でばね要素の座部を再び取り付けることに関して、ばね要素は、内側環状部分と、外側環状部分と、ベース部分と、環状凹部とを備えた環状部材によって形成され、ピストンロッドが内側環状部分を通って延び、外側環状部分によってばね板がシリンダーハウジングに取り付けられ、ベース部分が内側環状部分及び外側環状部分を接続しており、環状凹部は、ばね要素のピストン近接端部を収容するために前記部分間に画定されていることが好まれる。
【００１６】
好ましくは、その場合には、内側環状部分は、内周においてその自由端に環状ビードを有し、この環状ビードは、ばね板の固定部分を形成しており、わずかに径方向にばね戻り可能であり、一方、ピストンロッドは、横断面図に見られるようなほぼ冠状の環状カラーが外周に設けられたピストンロッドヘッドを有し、ピストンロッドヘッドは、ピストンロッドに噛合部分を形成し、ピストンサブアセンブリの固定状態において、環状ビードに軸方向で支持されている。代替形態として、原理上、例えば、その一部（ばね板又はピストンロッドヘッド）において周囲に分配された１つの囲み突起又はいくつかの突起である高くなった構造が、シリンダーハウジングに対してピストンサブアセンブリの一時的な拘束を与えるように、それぞれの他の部分のところで環状溝と係合する設計もまた考えられる。しかしながら、他方では、ばね板のところの固定部分及びピストンロッドの噛合部分の、両側が高くなった、上で述べられたビード状又は冠状の形態が好まれ、この形態は、２つの相反する方向（解放する方向又は拘束する方向）に可能な問題がない配置を可能にし、したがって、シリンダーハウジングに対するピストンサブアセンブリの一時的な固定を元通りにすることに関して特に効果的である。
【００１７】
単純なやり方でシリンダーハウジングに対するピストンロッドの所定の角度での可動性を確実にするために、内側環状部分には、さらに、両側にカットアウトが設けられ、これらカットアウトは、シリンダーハウジングの中心軸に対して完全に向かい合っており、これらカットアウトは、ピストンサブアセンブリの解放状態においてシリンダーハウジングの中心軸に対するピストンロッドの所定の偏位を可能にする。液圧シリンダーの有効径に応じて、内側環状部分のところのカットアウトは、その場合には、（より小さな有効径の場合には）周方向に見られるようなその環状形状を分断することができ、あるいは、しかしながら、（より大きな有効径の場合には）内側環状部分に径方向の凹みのみを形成しうる。
【００１８】
特にプラスチック材料からの射出成形によって容易に生産されることができる上に述べられたばね板の特に単純な設計では、その外側環状部分には、さらに、その自由端から始まっている複数の軸方向スロットが設けられ、これら軸方向スロットは、周上に分配されベース部分の方向に延び、外側環状部分を複数のセグメントに分割し、シリンダーハウジングにばね板を固定する機能をする。その場合には、好ましくは、セグメントの少なくとも１つが、スナップ接続で軸方向にシリンダーハウジングにばね板を取り付けるために、その自由端に、シリンダーハウジングの内周に形成され径方向溝と係合する径方向外向きの突起状の突出部が設けられたばねアームを形成している。溶接又は接着接続による材料結合又は摩擦結合によるシリンダーハウジングへのばね板の軸方向の取り付けは、実際には、例えばワイヤーヨーク又はクロスバーなどの別個の取り付け要素の補助でさまざまなやり方で軸方向に機械的に確実に取り付けることが考えられ、しかしながら、他方では、上に述べられたスナップ接続が、アセンブリの観点からより単純である。さらに、少なくとも１つの他のセグメントが、シリンダーハウジングの回転からばね板を守るために、その自由端に、シリンダーハウジングの内周で相補的な凹部と係合する径方向外向きかつ軸方向に突出している部分的に円筒状の端部分を有することができる。したがって、例えば、シリンダーハウジングのところでのばね板の装着のために明らかかつ明白である単純なやり方において、例えば、シリンダーハウジングの中心軸まわりの角度の観点からピストンロッドに対する上述の偏位領域を整列させるように、シリンダーハウジングに対するばね板の規定された回転角向きを確実にすることが可能である。
【００１９】
さらに、ばね板のベース部分が、環状凹部から離れたその側に円形で環状の平坦な端面を有することが好まれ、これによって、ばね板は、シリンダーハウジングの内周に形成された、関連付けられた環状ショルダーにシリンダーハウジングの軸方向で支持されている。これは、板ばねとばね要素のばね力のシリンダーハウジングとの間の上に述べられたスナップ接続をなくし、代わって、シリンダーハウジングのところで環状ショルダーの完全な、又は閉じられた環状表面によって明らかな機能的連結で支持される。
【００２０】
本発明による概念をさらに追求すると、ばね板は、ばね板にさらなる機能を効果的に一体化するために、環状凹部から離れたベース部分の側に環状の中心決め突出部を有することができる。かくして、中心決め突出部は、好ましくは、円錐形に面取りされた外周面を有し、この外周面は、シリンダー軸に対してばね板を中心決めする所定の場合には、シリンダーハウジングの内周の相補的な形態の噛合面に向かい合っている。中心決め突出部の円錐形に面取りされた外周面は、特に、シリンダーハウジングへのばね板の自動的な取り付けを容易にする一方、ピストンサブアセンブリがシリンダーハウジングにつながれたとき、シリンダーハウジングの内周の相補的な形態の噛合面もまた、ピストンのところでシール要素のための入口の面取りした面として機能する。さらに、ばね板の中心決め突出部は、円錐形に面取りされた内周面を有することができ、ピストンサブアセンブリが解放されたとき、この場合にはピストンが緊密に接続されたピストンロッドをシリンダーハウジングの中心軸とほぼ整列させるように、ピストンの外周面のところの相補的な形態の噛合面が、内周面に接触されることができる。この設計は、一方では、ピストンサブアセンブリの第１の組立てのときに、シリンダーハウジングへのばね板の取り付けを単純化し、その場合には、ピストンサブアセンブリのところでプレアセンブリされたばね要素がピストンに対してばね板に圧力を加え、その場合には、ピストンの外周の相補的な形状の噛合面を備えた中心決め突出部の円錐形に面取りされた内周面の接触の結果、ピストンロッドに対して垂直にばね板を設定するか保持する。他方では、したがって、液圧シリンダーの組み立て状態において、ばね板の中心決め突出部の相補的な形状の内周面を備えたピストンの外周の円錐形に面取りされた噛合面の接触によってシリンダーハウジングに対してピストンロッドを直線状に設定するか保持するように、シリンダーハウジングに固定されたばね板に抗するばね要素によってピストンに圧力を加えることが可能であり、これは、例えば、液圧シリンダーを交換するときにその装着を単純化する。
【００２１】
同等に特にアセンブリフレンドリーな設計において、ばね要素は、さらに、スロット付きのリテーニングリングによってピストンロッドヘッドのところでそのピストン遠隔端部で係合し、リテーニングリングは、ピストンヘッドの関連付けられた支持面にスナップ係合し、一端に、径方向外向きに突出している環状カラーを有し、ばね要素のピストンから離れた端部が、ピストンに面しているカラーの側を支持し、その一方、環状カラーは、ピストンから離れたその側でピストンロッドヘッドに形成された環状ショルダーに軸方向で支持されている。このようにスロット付きの、したがって、径方向に延長可能なリテーニングリングは、ピストンサブアセンブリを備えたばね要素のプレアセンブリのときに、ピストンロッドに置かれたばね要素を圧縮して、ピストンロッドにかくして横方向にアクセス可能に横方向に起こるクリップの後にピストンのところで支持されたばね板に対して、ピストンロッドヘッドのところで支持面に取り付けられることができ、上に述べられた環状カラーにわたって軸方向に問題なくピストンロッド上へのリテーニングリングが、ピストンロッドヘッドの横断面図で見られるように、ほぼ冠状である。
【００２２】
原理上、ピストンサブアセンブリの設計は、ピストンロッドがピストンと枢動可能に結合されるように考えられている。しかしながら、他方では、ピストンがピストンロッドと緊密に接続されるならば、ピストンは、シリンダーハウジング中のピストンサブアセンブリの傾斜を可能にする外部輪郭形状を有することが好まれる。この実施形態では、ピストンとピストンロッドとの間の枢動接続と結び付けられるコストがなくされるという点で効果的である。さらに、「傾いた」、例えば、球状の外部輪郭形状を備えたピストンが、シリンダーハウジングのシリンダー壁に対して、汚染物質が堆積されうる狭い環状ギャップを形成する円筒状のピストンよりも汚れを受けにくい。その場合には、好ましくは、ピストンは、ピストンロッドにプラスチック材料から射出成形され、金属であってもよいし、あるいは、適宜、プラスチック材料と一体的に射出成形されてもよいし、これらの両方が単純で経済的な生産にとって有益である。
【００２３】
さらに、本実施形態は、ピストンが、圧力チャンバ側にある延長部を有し、シール要素がリテーニングリングによって延長部の上に保持されて中心決めされるようになっていることができ、シール要素は、シリンダーハウジングの内周の滑り面を囲みシールリップによって摺動可能かつ封止可能に支持し、リテーニングリングには、シール要素から離れたその側に、シリンダーハウジングの中心軸に対するピストンサブアセンブリの傾斜角が所定の角度に達したときにシリンダーハウジングでピストンサブアセンブリを支持するように、シリンダーハウジング中のピストンサブアセンブリの傾斜が起こったときにシリンダーハウジングの滑り面と接触するようにその長さと径との少なくとも一方に関して適合された補剛延長部分が設けられている。したがって、単純な手段によって、例えば作業場において液圧シリンダーを取り外すときの、シール要素の過度の変形に起因する液圧シリンダーの漏れが防止され、この漏れは、そうでなければ不完全であると不正確に見なされ、結果として時間を消費し高価な交換につながりうる液圧シリンダーとなりうる。
【００２４】
原理上、リテーニングリングは、その場合には、溶接又は接着接続によってピストンの延長部に装着されることができる。しかしながら、他方では、単純で経済的な装着に関して、リテーニングリングは、スナップ接続によってピストンの延長部に取り付けられ、特に、プラスチック材料で特に簡単に形成されることができることが好まれる。根本的には、他の機械的に確実な接続、好ましくは、スクリュー接続のような摩擦結合と組み合わせて、ピストン延長部にリテーニングリングを取り付けることもまた考えられる。
【００２５】
本発明は、添付の部分的な概略図面を参照して、好ましい実施形態によって以下に詳細に説明される。図の簡略化のために、エラストマー部分は変形していない状態で図示される。
【図面の簡単な説明】
【００２６】
【図１】図１は、非設置状態における自動車用の液圧クラッチ駆動システムのための、本発明に従って構成されたスレーブシリンダーの、エア抜き接続部までの中心軸に沿った断面を示す側面図であり、長手方向に移動可能であるようにシリンダーハウジング中に収容されたピストンサブアセンブリが、シリンダーハウジングに対して所定のストローク設定で図示され、ピストンサブアセンブリが、その中にばね要素の力に抗して解放可能に保持され、これは、ばね板に設けられた固定部分によって、シリンダーハウジングにあるばね板によって支持され、固定部分は、この目的のために、ピストンサブアセンブリのピストンロッドにおいて噛合部分と協働する。
【図２】図２は、シリンダーハウジングに対するピストンサブアセンブリの一時的な拘束のための手段に関するさらなる詳細な説明のための、図１の左側の図１によるスレーブシリンダーの端部の、図１と比較してスケールが拡大され、右側が省かれた、図１に対応する図である。
【図３】図３は、ばね要素に対して、ピストンロッドヘッドに装着された、スロット付きのリテーニングリングを備えた図１によるスレーブシリンダーの、シリンダーハウジングから分離された、ピストンサブアセンブリを示す斜視図である。
【図４】図４は、正面から斜めに、図１によるスレーブシリンダーの、シリンダーハウジングから分離された、ばね板の、図１と比較してスケールが拡大された斜視図である。
【図５】図５は、図４のスケールにおける図４によるばね板を示す正面図である。
【図６】図６は、図５のＶＩ−ＶＩ線の部分に対応する、図４によるばね板を示す長手方向の断面図である。
【図７】図７は、図５のＶＩＩ−ＶＩＩ線の部分に対応する、図４によるばね板を示す長手方向の断面図である。
【図８】図８は、シリンダーハウジングに装着されたばね板なしで、図４のスケールで、正面から斜めに図１によるスレーブシリンダーのシリンダーハウジングの開放端の、右側を省略した斜視図である。
【図９】図９は、シリンダーハウジングに装着されたばね板なしで、開放端の領域における図８のシリンダーハウジングの、右側を省略した長手方向の断面図である。
【図１０】図１０は、シリンダーハウジングに装着された図４によるばね板を備えた、図１によるスレーブシリンダーのシリンダーハウジングの開放端の、図８の角度及びスケールで見たときに対応する、右側を省略した斜視図である。
【図１１】図１１は、そのためのシール要素及びリテーニングリングなしで、図２のスケールで図１によるスレーブシリンダーのピストンサブアセンブリの、ピストンロッドに装着された、ピストンの、左側を省略した長手方向の断面図である。
【図１２】図１２は、正面から斜めのシール要素のための、図１によるスレーブシリンダーのピストンから分離された、リテーニングリングの、図１と比較してスケールが拡大された斜視図である。
【図１３】図１３は、図１２のスケールにおける図１２によるリテーニングリングを示す背面図である。
【図１４】図１４は、図１３のＸＩＶ−ＸＩＶ線の部分に対応する図１２によるリテーニングリングを示す長手方向の断面図である。
【図１５】図１５は、図１３のＸＶ−ＸＶ線の部分に対応する図１２によるリテーニングリングを示す長手方向の断面図である。
【発明を実施するための形態】
【００２７】
図１によれば、自動車用の液圧クラッチ駆動システムのためのスレーブシリンダー１０が、ピストン１４と、それと緊密に接続されたピストンロッド１６と、を備えたピストンサブアセンブリ１２と、シリンダーハウジング１８とを有し、シリンダーハウジング１８中には、長手方向に移動可能であるようにシリンダーハウジング１８中に収容されたピストン１４によって一方の側（図１の左側）で可変に画定され、シリンダーハウジング１８のベース２２によって他方の側（図１の右側）で不変に画定された圧力チャンバ２０が形成されている。図示される実施形態ではピストンロッド１６にプラスチック材料から射出成形されたピストン１４が、その場合には、外部輪郭形状２４を有し、この外部輪郭形状は、シリンダーハウジング１８中のピストンサブアセンブリ１２の傾斜を可能にする。さらに、ピストン１４は、圧力チャンバ側にある延長部２６を有し、シール要素３０がリテーニングリング２８によって延長部に保持され中心決めされ、シール要素は、内周でシリンダーハウジング１８の滑り面３４を囲みシールリップ３２によって摺動可能かつ封止可能に支持している。
【００２８】
ばね要素３６は、圧力チャンバ２０から離れたピストン１４の側に配置され、ばね要素は、シリンダーハウジング１８のベース２２から離れる方向にピストンサブアセンブリ１２を付勢するように、ハウジングの側においてばね板３８に一端で支持され、ピストンロッド１６と他端で動作的に接続されている。ばね板３８がシリンダーハウジング１８とは別個の部分であることは明白である。さらに、固定部分４０が設けられており、固定部分は、図１並びに図２に示されるように、スレーブシリンダー１０の第１の駆動の前にシリンダーハウジング１８に対して所定のストローク設定でピストンサブアセンブリ１２を固定し、スレーブシリンダー１０の第１の駆動が起こったときにシリンダーハウジング１８に対してピストンサブアセンブリ１２を解放するように構成されており、これにより、スレーブシリンダー１０のピストンロッド１６は、液圧クラッチ駆動システムの過剰充填の回避のために、スレーブシリンダー１０の輸送のために、及び、自動車におけるユニットの装着の単純化のために、スレーブシリンダー１０のシリンダーハウジング１８に対して一時的に拘束されることができる。
【００２９】
特に図２、図４ないし図７、図１０を参照して以下により詳細に説明されるように、固定部分４０は、ばね板３８に形成され、シリンダーハウジング１８に対するピストンサブアセンブリ１２の解放可能な固定のためにピストンロッド１６において噛合部分４２と協働する。
【００３０】
さらに、特に図１１ないし図１５に基づいて以下により詳細に同様に説明されるように、リテーニングリング２８には、シール要素３０から離れたその側に、補剛延長部分４４が設けられており、補剛延長部分４４は、シリンダーハウジング１８の中心軸４６に対するピストンサブアセンブリ１２の所定の傾斜角が例えば５°である所定の角度に達したときにシリンダーハウジング１８でピストンサブアセンブリ１２を支持するように、シリンダーハウジング中のピストンサブアセンブリ１２の傾斜が起こったときにシリンダーハウジング１８の滑り面３４と接触するようにその長さと径との少なくとも一方に関して適合されており、これにより、シール要素３０のシールリップ３２とシリンダーハウジング１８の滑り面３４との間の漏れが確実に回避される。
【００３１】
図１によれば、スレーブシリンダー１０の、図示される実施形態ではプラスチック材料から射出成形されたシリンダーハウジング１８には、図１の右側において、ベース２２の領域に、その端部で圧力チャンバ２０に開いた２つの一体的に形成された接続部が設けられている。これら接続部は、一方はエア抜き接続部４８であり、これは、それ自体知られたブリーダー５０が取り付け要素５２によって封止可能に収容され取り付けられており、他方は圧力接続部５４であり、圧力管路（図示されない）が、液圧に封止されるようにプラグ部材によって圧力接続部に挿入可能であり、それ自体知られているようにしてクラッチマスターシリンダー（図示されない）とスレーブシリンダー１０を液圧接続するように、さらなる取り付け要素５６によって固定可能である。例えばトランスミッションウォール（図示されない）にスレーブシリンダー１０を取り付けるために、シリンダー１８は、さらに、ベース２２の近くに固定用穴５８を有し、この穴は、スレーブシリンダー１０の装着状態において、例えば、ねじ（図示されない）が固定手段としてその中に延びているスロット付きのスチールブッシュ６０によって裏打ちされるか補強されている。
【００３２】
図１の左側におけるシリンダーハウジング１８の開放端において、後者には、外周に径方向溝６２が設けられ、ばね要素３６を保護するように囲んでいるエラストマーのベローズ６４が、内周において環状カラー６６のそばに位置されている。固定手段（図示されない）は、径方向外向きに、この位置で６８（固定手段のための係合点）のところで環状カラー６６を保持する。ベローズ６４には、シリンダーハウジング１８から離れたその端部であって内周に、保護ダストキャップ７４に形成された径方向の溝７２に位置されたさらなる環状カラー７０が設けられている。保護ダストキャップ７４は、自動車のスレーブシリンダー１０の装着状態におけるピストンロッド１６が駆動の観点から有効であるようにクラッチレバー（図示されない）と係合することによって、ピストンロッド１６に対して枢動可能であるように、それ自体知られているようにしてピストンロッド１６に関節結合されている。特に、ピストンロッド１６は、ボール端部７８を備えたピストンロッドヘッド７６を有し、保護ダストキャップ７４の内側ボールガイド部分８０に機械的に確実に係合する。
【００３３】
図示される実施形態では、ピストン１４などのピストンロッドヘッド７６もまた、金属製のピストンロッド１６にプラスチック材料から射出成形されている。ここでは、プラスチック材料が入り込むことができ、ロッド形状のピストンロッド１６の端部に形成された溝８２の形態である態様が、その場合には、ピストンロッド１６へのピストンロッドヘッド７６又はピストン１４の張力への耐性及び圧縮への耐性のある固定を確実にする。
【００３４】
シリンダーハウジング１８は、その内周に、滑り面３４の前のその開放端で、滑り面３４に向かって減少する径を有するようにいくつものステップ状になっており、特に、ばね板３８を収容するように面取りされている。シリンダーハウジング１８の内周のこれらステップ及び面取りは、以下でより詳細に説明されるように、ばね板３８のところで相補的な形状と協働する。
【００３５】
シリンダーハウジング１８とは別個の環状部材によって形成されたばね板３８のさらなる詳細が、特に、図４ないし図７、図１０から推定されることができる。これらによれば、ばね板３８は、概して、内側環状部分８４を有し、ピストンロッド１６が内側環状部分８４を通って延びており（図１並びに図２参照）、また、外側環状部分８６を有し、この外側環状部分８６によって既に説明されたようにしてばね板３８がシリンダーハウジング１８に取り付けられ、また、内側環状部分８４及び外側環状部分８６を接続しているベース部分８８を有する。その場合には、ばね板３８の前記部分８４、８６、８８は、環状凹部９０を画定し、この環状凹部９０は、図１並びに図２に示されるように、ばね要素３６の、ピストンに近い大径端部９２を受ける機能をし、ばね要素は、ほぼ円錐形に形成された圧縮コイルばねとして構成されている。
【００３６】
従って、ばね要素３６は、ばね板３８のベース部分８８において、図１並びに図２の右側にあるそのピストン近接端部９２によって支持されている。ばね板に抗するばね要素３６の、図１並びに図２において左側にありピストンから離れた小径端部９４は、スロット付きのカウンターリテーニングリング９６によってピストンロッドヘッド７６と係合する。リテーニングリング９６は、ピストンロッドヘッド７６の関連付けられた支持面９８にスナップ取り付けされ、一端に、径方向外向きに突出している環状カラー１００を有し、ばね要素３６のピストン遠隔端部９４が、ピストン１４に面している環状カラーの側を支持している。それと反対に、ピストン１４から離れたその側で、環状カラー１００は、ピストンロッドヘッド７６に形成された環状ショルダー１０２に軸方向で支持されている。ピストンロッドヘッド７６によって支持されたばね要素３６が、かくして、ピストンロッドヘッド７６を介してピストンサブアセンブリ１２に、図１並びに図２において左側に向かって作用する力を及ぼし、左側に、ピストンロッド１６によってシリンダーハウジング１８のベース２２からピストン１４を引き離すように保護ダストキャップ７４を付勢しようとすることが明白である。
【００３７】
特に図４並びに図５によれば、ばね板３８の外側環状部分８６には、その自由端から始まっている複数の軸方向スロット１０４が設けられ、これら軸方向スロット１０４は、周上に分配されベース部分８８の方向に延びている。これらスロット１０４は、外側環状部分８６を異なるセグメント１０６、１０８に分割し、シリンダーハウジング１８にばね板３８を固定する機能をする。その場合には、図示される実施形態のセグメント１０６は、４つのアームを形成し、これらには、特に図７によれば、その自由端の各々に、径方向の溝１１２と係合するそれぞれの突起状の突出部１１０が径方向外向きに設けられ、スナップ接続でシリンダーハウジング１８に軸方向にばね板３８を取り付けるために、シリンダーハウジング１８の内周に形成されている。逆に、図示される実施形態においてばね板３８の外側環状部分８６の径方向に対向している他の２つのセグメント１０８が、特に図４、図６、図７並びに図１０によると、その自由端の各々に、それぞれ径方向外向きかつ軸方向に突出している部分的に円筒形の端部分１１４を有し、この端部分１１４は、シリンダーハウジング１８の回転からばね板３８を守るために、シリンダーハウジング１８の内周でそれぞれ相補的な凹部１１６と機械的に確実に係合する（特に図８並びに図１０参照）。
【００３８】
特に図２、図６並びに図７からさらに推定されることができるように、ばね板３８のベース部分８８は、環状凹部９０から離れたその側に、円形で環状の平坦な端面１１８を有し、これによって、ばね板は、シリンダーハウジング１８の内周に形成された、関連付けられた環状ショルダー１２０にシリンダーハウジング１８の軸方向で支持されている。環状の中心決め突出部１２２が、図２、図６並びに図７に再び最もよく示されることができるように、環状凹部９０から離れたベース部分の側に、ばね板３８の円形の環状端面１１８の内部に径方向に形成されている。中心決め突出部１２２は、円錐形に面取りされた外周面１２４を有し、これは、図２によれば、シリンダーハウジング１８の内周の相補的な形状の噛合面１２６と向かい合っている。さらに、中心決め突出部１２２は、円錐形に面取りされた内周面１２８を有し、ピストンサブアセンブリ１２が固定部分４０から解放されたとき、ピストンロッド１６をシリンダーハウジング１８の中心軸４６とほぼ整列させるように、ピストン１４の外周の相補的な形状の噛合面１３０（図１並びに図３参照）が内周面に接触されることができる。
【００３９】
特に図４、図５並びに図１０のように、さらに、ばね板３８の内側環状部分８４には、シリンダーハウジング１８の中心軸４６に対して完全に向かい合っている、全部で２つのカットアウト１３２が両側に設けられ、これらカットアウトは、図示される実施形態において内側環状部分８４を分断しており、ばね板３８のベース部分８８まで径方向に延びている。特にピストンロッド１６がカットアウト１３２の方向にシリンダーハウジング１８に対してほぼ中心位置から枢動されたとき、カットアウト１３２は、固定部分４０からピストンサブアセンブリ１２の解放の状態においてシリンダーハウジング１８の中心軸４６に対するピストンロッド１６の所定の偏位を与える。ばね板３８の内側環状部分８４は、そうでなければ、シリンダーハウジング１８のピストン１４のストローク設定、ピストンロッド１６の偏位に依存して制限し、その場合には、しかしながら、ピストン１４のリテーニングリング２８は、既にさらに上に説明されたように、シリンダーハウジング１８の中心軸４６に対するピストンサブアセンブリ１２の所定の傾斜角を超過しないことを確実にする。
【００４０】
最後に、ばね板３８の内側環状部分８４は、内周においてその自由端に環状ビード１３４を有し、この環状ビード１３４は、ばね板３８の固定部分４０を形成しており、わずかに径方向にばね戻り可能であり、ここに図示される実施形態ではカットアウト１３２によって分断されている。さらに、ピストンロッドヘッド７６には、ピストン１４に面しているその端部で外周に環状カラー１３６が設けられ、この環状カラー１３６は、ピストンロッド１６のところに上述の噛合部分４２を形成し、横断面図に見られるようにほぼ冠状であり、ばねで付勢されたピストンの固定状態において、サブアセンブリ１２が、図１並びに図２に示される設定でシリンダーハウジング１８中のピストンサブアセンブリ１２を一時的に拘束するように、ばね板３８の環状ビード１３４に軸方向で支持されている。
【００４１】
リテーニングリング２８、ピストン１４の延長部２６へのその取り付けに関するさらなる詳細は、図１１ないし図１５から推定されることができる。図１２、図１４並びに図１５によれば、リテーニングリング２８の延長部分４４は、ほぼ中空円筒状の外側部分１３８を有し、この外側部分１３８は、外側部分１３８の内周に均一に分配された複数の、図示される実施形態では４つの補剛要素１４０によってピストン１４の延長部２６に径方向で支持されている。図１２に見られることができるように、補剛要素１４０は、外側部分１３８に沿って径方向に延びており、ほぼ台形の横断面の中空チャンバ部分のある部材のような構成を有する。リテーニングリング２８の装着状態（図１を参照）において、補剛要素１４０は、各々、その径方向内向きの狭い側１４２によって、ピストン１４の延長部２６を、より正確にはその外周面１４４を支持している。
【００４２】
例えば、取り外しの過程において、その設置位置からスレーブシリンダー１０がピストンロッド１６のかなり大きな偏位、したがってシリンダーハウジング１８の中心軸４６に対するピストンサブアセンブリ１２全体のかなり大きな偏位が起こると、ピストン１４がシール要素３０の軸方向レベルからおおよそ仮想支点１４６のまわりに傾き、そして、ピストン１４が、その延長部２６の外周面１４４、そのリテーニングリング２８及び外側部分１３８の補剛要素１４０の対応する狭い側１４２、特にピストン１４から離れた外側部分１３８の径方向外向き端部、特に、ピストン１４の仮想支点１４６から軸方向に離れたところで、したがって特定のレバーアームによって、シリンダーハウジング１８の滑り面３４に支持されている。その結果、シール要素３０のシリンダーハウジング１８の滑り面３４に対して押圧されるシールリップ３２の過度の変形、したがって圧力チャンバ２０からの液圧流体の漏れが確実に防止される。
【００４３】
図１からも推定されることができるように、リテーニングリング２８は、スナップ接続部１４８によってピストン１４の延長部２６に取り付けられている。その目的のために、図１２ないし図１５によるリテーニングリング２８は、複数の、図示される実施形態では例えば全部で４つのばねアーム１５０を有し、これらばねアームは、軸方向に延びており、これらばねアームには、その自由端の各々に、延長部２６の外周（外周面１４４）に形成された径方向溝（図１１参照）と係合する径方向内向きのそれぞれの突起状の突出部１５２が設けられる。図１２に最もよく見られることができるように、周方向に見られるようなリテーニングリング２８のばねアーム１５０は、それぞれ、リテーニングリング２８の隣接している補剛要素１４０間に配置され、これにより、補剛要素１４０とリテーニングリング２８のばねアーム１５０とが、ピストンサブアセンブリ１２の軸方向に見られるのとほぼ同じレベルに配置される。
【００４４】
リテーニングリング２８には、さらに、ピストン１４に面しているその側に、シール要素３０の環状の軸方向溝１５８と係合する環状の押圧突出部１５６が設けられている。軸方向溝１５８は、ピストン１４から離れたシール要素３０の側で、シール要素３０の環状固定部分１６０からシールリップ３２を分離しており、固定部分は、圧力チャンバ２０に向かって開くピストン１４の環状の軸方向溝１６２中のピストン１４の延長部２６に据え付けられている。
【００４５】
最後に、リテーニングリング２８は、さらに、ピストン１４に面しているその側に、押圧突出部１５６の内部で径方向に円形で環状の平坦な端面１６４を有し、これにより、リテーニングリング２８は、関連付けられた環状ショルダー１６６にピストン１４の軸方向で支持されることができ、これは、図１１によれば、装着用支台があるようにピストン１４の延長部２６の外周に形成されており、これにより、自動化されることができるこれら構成要素の組立て時にシール要素３０やリテーニングリング２８のスナップアーム（突起状の突出部１５２を備えたばね１５０）の損傷を確実に防止する。
【００４６】
液圧シリンダー、特に自動車用の液圧クラッチ駆動システムのためのスレーブシリンダーは、ピストンと、ピストンロッドとを有するピストンサブアセンブリと、シリンダーハウジングとを具備し、前記ピストンによって一方の側で可変に画定され、前記シリンダーハウジングのベースによって他方の側で不変に画定された圧力チャンバが前記シリンダーハウジング中に設けられ、前記圧力チャンバから離れた前記ピストンの側に配置されたばね要素を具備し、前記ばね要素は、前記シリンダーハウジングの前記ベースから離れる方向に前記ピストンサブアセンブリを付勢するように、前記ハウジング側においてばね板に一端で支持され、前記ピストンロッドと他端で動作的に接続され、前記液圧シリンダーの第１の駆動に先立って前記シリンダーハウジングに対して所定のストローク設定で前記ピストンサブアセンブリを固定し、前記液圧シリンダーの第１の駆動が起こったときに前記シリンダーハウジングに対して前記ピストンサブアセンブリを解放するように構成された固定部分を具備し、前記固定部分は、前記ばね板に形成され、前記シリンダーハウジングに対する前記ピストンサブアセンブリの解放可能な固定のために前記ピストンロッドにおいて噛合部分と協働する。
【符号の説明】
【００４７】
１０…液圧シリンダー／スレーブシリンダー、１２…ピストンサブアセンブリ、１４…ピストン、１６…ピストンロッド、１８…シリンダーハウジング、２０…圧力チャンバ、２２…ベース、２４…外部輪郭形状、２６…延長部、２８…リテーニングリング、３０…シール要素、３２…シールリップ、３４…滑り面、３６…ばね要素、３８…ばね板、４０…固定部分、４２…噛合部分、４４…延長部分、４６…中心軸、４８…ガス抜き接続部、５０…ブリーダー、５２…取り付け要素、５４…圧力接続部、５６…取り付け要素、５８…固定用穴、６０…スチールブッシュ、６２…径方向溝、６４…ベローズ、６６…環状カラー、６８…固定手段のための係合点、７０…環状カラー、７２…径方向溝、７４…保護ダストキャップ、７６…ピストンロッドヘッド、７８…ボール端部、８０…ボールガイド部分、８２…径方向溝、８４…内側環状部分、８６…外側環状部分、８８…ベース部分、９０…環状凹部、９２…ピストン近接端部、９４…ピストン遠隔端部、９６…リテーニングリング、９８…支持面、１００…環状カラー、１０２…環状ショルダー、１０４…スロット、１０６…セグメント、１０８…セグメント、１１０…突起状の突出部、１１２…径方向溝、１１４…端部分、１１６…カットアウト、１１８…端面、１２０…環状ショルダー、１２２…中心決め突出部、１２４…外周面、１２６…噛合面、１２８…内周面、１３０…噛合面、１３２…カットアウト、１３４…環状ビード、１３６…環状カラー、１３８…外側部分、１４０…補剛要素、１４２…狭い側、１４４…外周面、１４６…仮想支点、１４８…スナップ接続部、１５０…ばねアーム、１５２…突起状の突出部、１５４…径方向溝、１５６…押圧突出部、１５８…軸方向溝、１６０…固定部分、１６２…軸方向溝、１６４…端面、１６６…環状ショルダー。
【図１】
2017036832.tif 000003
【図２】
2017036832.tif 000004
【図３】
2017036832.tif 000005
【図４】
2017036832.tif 000006
【図５】
2017036832.tif 000007
【図６】
2017036832.tif 000008
【図７】
2017036832.tif 000009
【図８】
2017036832.tif 000010
【図９】
2017036832.tif 000011
【図１０】
2017036832.tif 000012
【図１１】
2017036832.tif 000013
【図１２】
2017036832.tif 000014
【図１３】
2017036832.tif 000015
【図１４】
2017036832.tif 000016
【図１５】
2017036832.tif 000017
【外国語明細書】
2017036832000001.pdf